(57)【要約】【課題】基板上での設置スペースの確保が容易であり、かつ周辺部に他の部品の配置スペースも確保し易い省スペース型のインダクタを得る。【解決手段】インダクタ１は、当該インダクタ１を軸線Ｃ１の方向に正射影した状態において、各端子部４Ａ，４Ｂの投影領域が上鍔部２２の投影領域に外接する正方形５の内部に収まるように構成されている。また、各端子部４Ａ，４Ｂの接続部４１に絡げられた巻線３の各端部の投影領域も、正方形５の内部に収まるように構成されている。【選択図】図５
2007258194.tif 000002
【特許請求の範囲】
【請求項１】
巻軸部の両端に略円形の鍔部がそれぞれ形成されてなるドラムコアと、前記巻軸部に巻回された巻線と、前記各鍔部のうちの一方の鍔部の端面に密着固定された板状金属部材からなり、前記巻線の端部が接続される接続部および前記基板に実装される実装部を有する端子部と、を備えてなるインダクタであって、
当該インダクタを前記巻軸部の軸線方向に正射影した状態において、前記端子部の投影領域が、少なくとも前記各鍔部のうちの小径ではない方の鍔部の投影領域に外接する正方形内に収まるように構成してなることを特徴とするインダクタ。
【請求項２】
前記正射影した状態において、前記端子部を前記基板に半田付けする際に形成される半田フィレットの投影領域が、前記正方形内に収まるように構成してなることを特徴とする請求項１記載のインダクタ。
【請求項３】
前記各鍔部が互いに同じ外径寸法を有するように形成されていることを特徴とする請求項１または２記載のインダクタ。
【発明の詳細な説明】
【技術分野】
【０００１】
本発明は、巻線を巻回するドラムコアに、板状金属部材からなる端子部が密着固定されるタイプのインダクタに関し、特に、携帯電話、携帯型音楽メディア機器、携帯ゲーム機、小型ビデオカメラ等の小型（薄型）化の要求の高い電子機器の電源回路に実装される場合に好適なインダクタに関する。
【背景技術】
【０００２】
この種のインダクタとして、下記特許文献１に記載されたものが知られている。この公報記載のインダクタは、絡げ端子部と電極部とを構成する板状金属部材（金属片）の周縁に、ドラムコアの下鍔部側面に当接する短冊状小突起を設けることにより、ドラムコアと板状金属部材との位置決めの精度を高めるよう構成されている。
【０００３】
【特許文献１】特開平１０−２２１３７号公報
【発明の開示】
【発明が解決しようとする課題】
【０００４】
近年、この種のインダクタが用いられる電子機器の小型化が進み、それに伴い、回路基板に実装されるインダクタに対する小型化の要求も強まっている。特に、狭小化する回路基板に数多くの電気（電子）部品を実装する必要性から、基板上での自身の実装面積が小さいだけではなく、その周辺部に他の部品の配置スペースも確保し易い省スペース型のインダクタが要望されている。
【０００５】
本発明はこのような事情に鑑みなされたものであり、基板上での設置スペースの確保が容易であり、かつ周辺部に他の部品の配置スペースも確保し易いインダクタを提供することを目的とする。
【課題を解決するための手段】
【０００６】
上記目的を達成するため、本発明に係るインダクタは、巻軸部の両端に略円形の鍔部がそれぞれ形成されてなるドラムコアと、前記巻軸部に巻回された巻線と、前記各鍔部のうちの一方の鍔部の端面に密着固定された板状金属部材からなり、前記巻線の端部が接続される接続部および前記基板に実装される実装部を有する端子部と、を備えてなるインダクタであって、
当該インダクタを前記巻軸部の軸線方向に正射影した状態において、前記端子部の投影領域が、少なくとも前記各鍔部のうちの小径ではない方の鍔部の投影領域に外接する正方形内に収まるように構成してなることを特徴とする。
【０００７】
本発明のインダクタは、前記正射影した状態において、前記端子部を前記基板に半田付けする際に形成される半田フィレットの投影領域が、前記正方形内に収まるように構成してなることが好ましい。
【０００８】
また、本発明のインダクタにおいては、前記各鍔部が互いに同じ外径寸法を有するように形成されているとものすることができる。
【発明の効果】
【０００９】
本発明のインダクタによれば、巻軸部の軸線方向に正射影された状態において、端子部の投影領域が、少なくとも各鍔部のうちの小径ではない方の鍔部の投影領域に外接する正方形内に収まるように構成されていることにより、基板上で占める自身の実装スペースが所定の正方形領域内に限定されることになる。このため、自身の実装スペースが正方形領域内に収まらない従来のものに比べ、基板上での自身の設置スペースの確保が容易となるとともに、設定された正方形領域の周辺部に他の部品を効率良くコンパクトに配置することが可能となる。
【発明を実施するための最良の形態】
【００１０】
以下、本発明に係るインダクタの実施形態について、添付した各図面を参照しつつ詳細に説明する。図１〜図５は本発明に係るインダクタの一実施形態を示しており、図６は他の実施形態を示している。なお、以下の説明では、図１に示す３次元直交座標系のＸ軸の方向を前後（矢線の向きが前）、Ｙ軸の方向を左右（矢線の向きが右）、Ｚ軸の方向を上下（矢線の向きが上）と称する。また、他の図における３次元直交座標系は、図１のものと向きが一致するように示されている。
【００１１】
まず、図１〜図４を用いて、本発明の一実施形態に係るインダクタの構成について説明する。図１は本発明の一実施形態に係るインダクタの全体構成を示す正面側からの斜視図、図２は図１に示すドラムコアの正面図、図３は図１に示す端子部の背面側からの斜視図である。また、図４はドラムコアに端子部が密着固定された状態を示す底面側からの斜視図である。
【００１２】
本実施形態のインダクタ１は、例えば、携帯電話、携帯型音楽メディア機器、携帯ゲーム機、小型ビデオカメラ等の電子機器の電源回路に実装されるものであり、図１に示すように、ドラムコア２と巻線３と一対の端子部４Ａ，４Ｂとから構成されている。
【００１３】
図２に示すように上記ドラムコア２は、上記巻線３（図１参照）が巻回される柱状の巻軸部２１と、該巻軸部２１の上下両端（巻軸部２１の軸線Ｃ１が延伸する方向の両端）に配された円形の鍔部（上鍔部２２および下鍔部２３）と、が互いに一体に形成されてなるものであり、例えば、軟磁性材料のフェライト（その他に、パーマロイ、センダスト、鉄カルボニル等の材料や、これらの微粉末を圧縮成型したダストコアを使用することも可能）により構成されている。なお、上記上鍔部２２と上記下鍔部２３とは、互いに同じ外径寸法を有するように形成されている。
【００１４】
一方、上記各端子部４Ａ，４Ｂは、図３に示すように、それぞれ板状金属部材から形成されてなるものであり、上記巻線３（図１参照）の端部が接続される接続部４１と、回路基板（図示略）に実装される実装部４２と、該実装部４２の一側面から上方に屈曲する一対の爪部４３とを備えている。この各端子部４Ａ，４Ｂは、図４に示すように、上記接続部４１および上記各爪部４３が上記下鍔部２３の側面側に突出するように配置され、上記実装部４２の上面と上記下鍔部２３の底面との間に塗布された接着剤により、下鍔部２３の底面に密着固定される。
【００１５】
また、各端子部４Ａ，４Ｂは、上記下鍔部２３に密着固定された図４に示す状態では、上記接続部４１の一端部が前方に屈曲しているが、上記巻線３の端部が絡げられる際または絡げられた後に、この屈曲していた部分が図１に示すように上方に延伸されるように構成されている。
【００１６】
このように構成された上記インダクタ１は、図１に示すように上記下鍔部２３の底面側を図示せぬ回路基板と対向させた状態で該基板上に載置され、上記各端子部４Ａ，４Ｂの上記各爪部４３が基板面に半田付けされることにより、回路基板上に固定されるように構成されており、各爪部４３と基板面との間に形成される半田フィレット（図示略）の状態を視認することによって、半田付けが適正になされているか否かを確認し得るようになっている。
【００１７】
次に、上記インダクタ１の主要な特徴について、図５を用いて説明する。図５は本発明の一実施形態に係るインダクタの平面図（上記インダクタ１を上記軸線Ｃ１の方向に正射影した状態の図）である。
【００１８】
図５に示すように上記インダクタ１は、当該インダクタ１を上記軸線Ｃ１の方向に正射影した状態において、上記各端子部４Ａ，４Ｂの投影領域が上記上鍔部２２（上記下鍔部２３）の投影領域に外接する正方形５（図中２点鎖線で示す）の内部に収まるように構成されている。また、上記各端子部４Ａ，４Ｂの上記接続部４１に絡げられた上記巻線３の各端部の投影領域も、上記正方形５の内部に収まるように構成されている。
【００１９】
これにより、図示せぬ回路基板上で占めるインダクタ１の実装スペースが、上記正方形５の領域内に限定されることになるので、基板上でのインダクタ１の設置スペースの確保が容易となるとともに、上記正方形５の領域の周辺部に他の部品を効率良くコンパクトに配置することが可能となる。
【００２０】
次に、本発明に係るインダクタの他の実施形態について、図６を用いて説明する。図６は本発明の他の実施形態に係るインダクタの平面図である。なお、図６に示す実施形態において、図１〜図５に示すものと概念的に共通する構成要素については、同一の番号等を付すこととし、その詳細な説明は省略する。
【００２１】
図６に示すインダクタ１Ａは、ドラムコア２と巻線３と一対の端子部４Ｃ，４Ｄとから構成されている。このインダクタ１Ａの特徴は、上記各端子部４Ｃ，４Ｄの構成にある。すなわち、図６に示すように上記インダクタ１Ａは、当該インダクタ１Ａを上記軸線Ｃ１の方向に正射影した状態において、上記各端子部４Ｃ，４Ｄにおける各爪部４３の投影領域が、上記インダクタ１のものに比べて、より正方形５の内部側に位置するように構成されている。これにより、上記各爪部４３が図示せぬ基板面に半田付けされる際に形成される半田フィレット６の投影領域も、上記正方形５の内部に収まるようになっている。
【００２２】
このため、回路基板上で占めるインダクタ１Ａの実装スペースが、上記半田フィレット６が形成される部分も含めて、上記正方形５の領域内に限定されることになるので、上記インダクタ１に比べて、基板上でのインダクタ１Ａの設置スペースの確保が容易となるとともに、上記正方形５の領域の周辺部に他の部品をより効率良くコンパクトに配置することが可能となる。
【００２３】
以上、本発明に係るインダクタの実施形態について説明したが、本発明に係るインダクタは、上述した実施形態のものに限られるものではなく、種々に態様を変更することが可能である。
【００２４】
例えば、上述した実施形態では、ドラムコア２の上鍔部２２と下鍔部２３とが、互いに同じ外径寸法を有するように形成されているが、両鍔部が互いに異なる外径寸法を有する不等鍔のドラムコアを用いることができる。不等鍔のドラムコアを用いたインダクタの場合、少なくとも両鍔部のうちの小径ではない方の鍔部の投影領域に外接する正方形内に、端子部の投影領域が収まるように構成すればよい。
【図面の簡単な説明】
【００２５】
【図１】一実施形態に係るインダクタの正面側からの斜視図
【図２】図１に示すドラムコアの正面図
【図３】図１に示す端子部の背面側からの斜視図
【図４】ドラムコアに端子部が密着固定された状態を示す底面側からの斜視図
【図５】一実施形態に係るインダクタの平面図
【図６】他の実施形態に係るインダクタの平面図
【符号の説明】
【００２６】
１，１Ａ  インダクタ
２        ドラムコア
３        巻線
４Ａ〜４Ｄ      端子部
５        正方形
６        半田フィレット
２１      巻軸部
２２      上鍔部
２３      下鍔部
４１      接続部
４２      実装部
４３      爪部
Ｃ１      軸線
【図１】
2007258194.tif 000003
【図２】
2007258194.tif 000004
【図３】
2007258194.tif 000005
【図４】
2007258194.tif 000006
【図５】
2007258194.tif 000007
【図６】
2007258194.tif 000008